(57)【要約】【課題】通信品質の向上を図ること。【解決手段】送信装置１１０は、無線信号１０２を受信する通信装置１００の内部に設けられ、通信装置１００の内部の受信装置１２０へデータを送信する。変換部１１１は、入力された第１ビット数のデータを、第１ビット数より多い第２ビット数のデータに変換する。送信部１１２は、変換部１１１によって変換された各データを受信装置１２０へ送信する。また、送信部１１２は、各データの間にダミーデータを挿入して送信する第１動作と、ダミーデータを挿入しない第２動作と、を通信装置１００における無線信号１０２の受信状態に応じて切り替える。【選択図】図１Ｂ
2014229945.tif 000002
【特許請求の範囲】
【請求項１】
無線信号を受信する通信装置の内部に設けられ、前記通信装置の内部の受信装置へデータを送信する送信装置であって、
入力された第１ビット数のデータを、前記第１ビット数より多い第２ビット数のデータに変換する変換部と、
前記変換部によって変換された各データを前記受信装置へ送信する送信部であって、前記各データの間にダミーデータを挿入して送信する第１動作と、前記ダミーデータを挿入しない第２動作と、を前記通信装置における前記無線信号の受信状態に応じて切り替える送信部と、
を備えることを特徴とする送信装置。
【請求項２】
前記送信部は、前記第１動作において、前記変換部によって変換された各データのうちの、連結した場合に値が交互に変化する連続パターンが生じる連続する各データの間に前記ダミーデータを挿入することを特徴とする請求項１に記載の送信装置。
【請求項３】
前記ダミーデータは、値が交互に変化する連続パターンを自身が含まず、かつ前記変換部によって変換され得る前記第２ビット数のデータの各値と連結した場合に前記連続パターンが生じないデータであることを特徴とする請求項１または２に記載の送信装置。
【請求項４】
前記無線信号の受信状態は、前記無線信号の受信強度であることを特徴とする請求項１〜３のいずれか一つに記載の送信装置。
【請求項５】
前記無線信号の受信状態は、前記無線信号の受信帯域であることを特徴とする請求項１〜４のいずれか一つに記載の送信装置。
【請求項６】
前記無線信号の受信状態は、前記無線信号の受信の有無であることを特徴とする請求項１〜５のいずれか一つに記載の送信装置。
【請求項７】
無線信号を受信する通信装置であって、
入力された第１ビット数のデータを、前記第１ビット数より多い第２ビット数のデータに変換し、変換した各データを送信し、前記各データの間にダミーデータを挿入して送信する第１動作と、前記ダミーデータを挿入しない第２動作と、を前記通信装置における前記無線信号の受信状態に応じて切り替える送信装置と、
前記送信装置によって送信された各データを受信し、受信した各データのうちの前記ダミーデータを破棄し、前記受信した各データのうちの前記ダミーデータとは異なるデータを前記第１ビット数のデータに変換して出力する受信装置と、
を内部に備えることを特徴とする通信装置。
【請求項８】
無線信号を受信する通信装置の内部に設けられ、前記通信装置の内部の受信装置へデータを送信する送信装置による送信方法であって、
入力された第１ビット数のデータを、前記第１ビット数より多い第２ビット数のデータに変換し、
変換した各データを前記受信装置へ送信し、前記各データの間にダミーデータを挿入して送信する第１動作と、前記ダミーデータを挿入せずに前記各データを送信する第２動作と、を前記通信装置における前記無線信号の受信状態に応じて切り替える、
ことを特徴とする送信方法。
【発明の詳細な説明】
【技術分野】
【０００１】
本発明は、送信装置、通信装置および送信方法に関する。
【背景技術】
【０００２】
従来、８ビットのデータを、同一の値が一定以上連続しないように１０ビットのデータに変換して転送する８Ｂ１０Ｂ（８ｂ／１０ｂ）が知られている（たとえば、下記特許文献１，２参照。）。８Ｂ１０Ｂは、たとえば、無線通信を行う無線通信端末の内部の各ＬＳＩ（Ｌａｒｇｅ  Ｓｃａｌｅ  Ｉｎｔｅｇｒａｔｉｏｎ：大規模集積回路）の間におけるデータ伝送にも用いられている。
【先行技術文献】
【特許文献】
【０００３】
【特許文献１】特開２０１１−１２３６０９号公報
【特許文献２】特開２０１１−１５５３３０号公報
【発明の概要】
【発明が解決しようとする課題】
【０００４】
しかしながら、上述した従来技術では、８Ｂ１０Ｂ変換等により変換されたデータは、たとえば「１０１０」や「１１００１１００」などの連続パターンを多く含むため、高調波を発生させる。そして、無線通信端末の内部において発生した高調波は、無線通信端末による無線信号の受信のノイズとなり、無線通信端末の通信品質が劣化する場合がある。
【０００５】
１つの側面では、本発明は、通信品質の向上を図ることができる送信装置、通信装置および送信方法を提供することを目的とする。
【課題を解決するための手段】
【０００６】
上述した課題を解決し、目的を達成するため、本発明の一側面によれば、無線信号を受信する通信装置の内部に設けられ、前記通信装置の内部の受信装置へデータを送信する送信装置において、入力された第１ビット数のデータを、前記第１ビット数より多い第２ビット数のデータに変換し、変換した各データを前記受信装置へ送信し、前記各データの間にダミーデータを挿入して送信する第１動作と、前記ダミーデータを挿入せずに前記各データを送信する第２動作と、を前記通信装置における前記無線信号の受信状態に応じて切り替える送信装置、通信装置および送信方法が提案される。
【発明の効果】
【０００７】
本発明の一側面によれば、通信品質の向上を図ることができるという効果を奏する。
【図面の簡単な説明】
【０００８】
【図１Ａ】図１Ａは、実施の形態１にかかる通信装置の一例を示す図である。
【図１Ｂ】図１Ｂは、図１Ａに示した通信装置における信号の流れの一例を示す図である。
【図２Ａ】図２Ａは、実施の形態２にかかる移動通信端末の一例を示す図である。
【図２Ｂ】図２Ｂは、図２Ａに示した移動通信端末における信号の流れの一例を示す図である。
【図３】図３は、実施の形態２にかかる８Ｂ１０Ｂエンコーダの処理の一例を示すフローチャートである。
【図４】図４は、実施の形態２にかかる８Ｂ１０Ｂデコーダの処理の一例を示すフローチャートである。
【図５Ａ】図５Ａは、連続性の判断の一例を示す図（その１）である。
【図５Ｂ】図５Ｂは、連続性の判断の一例を示す図（その２）である。
【図６Ａ】図６Ａは、連続する２つの１０［ｂｉｔ］データの一例を示す図である。
【図６Ｂ】図６Ｂは、連続性を判断する構成の一例を示す図である。
【図７】図７は、ユーザの分布の一例を示すグラフである。
【図８】図８は、実施の形態３にかかる８Ｂ１０Ｂエンコーダの処理の一例を示すフローチャートである。
【図９Ａ】図９Ａは、連続パターンによる高調波の一例を示す図である。
【図９Ｂ】図９Ｂは、連続パターンによる高調波のバンドごとの影響の一例を示す図である。
【図１０】図１０は、実施の形態４にかかる８Ｂ１０Ｂエンコーダの処理の一例を示すフローチャートである。
【発明を実施するための形態】
【０００９】
以下に図面を参照して、本発明にかかる送信装置、通信装置および送信方法の実施の形態を詳細に説明する。
【００１０】
（実施の形態１）
（実施の形態１にかかる通信装置）
図１Ａは、実施の形態１にかかる通信装置の一例を示す図である。図１Ｂは、図１Ａに示した通信装置における信号の流れの一例を示す図である。図１Ａ，図１Ｂに示すように、実施の形態１にかかる通信装置１００は、アンテナ１０１を用いて他の通信装置（たとえば基地局や無線通信端末）から送信された無線信号１０２を受信する。
【００１１】
また、通信装置１００は、送信装置１１０と、送信装置１１０から送信されたデータを受信する受信装置１２０と、を内部に備えることにより、内部において、送信装置１１０から受信装置１２０へのデータの伝送を行う。
【００１２】
＜送信装置＞
送信装置１１０は、変換部１１１と、送信部１１２と、を備える。変換部１１１には、受信装置１２０へ送信すべき第１ビット数のデータが入力される。変換部１１１は、入力された第１ビット数のデータを、第１ビット数より多い第２ビット数のデータに変換する。たとえば、変換部１１１は、入力された８［ｂｉｔ］のデータを、同一の値が一定以上連続しないように１０［ｂｉｔ］のデータに変換して転送する８Ｂ１０Ｂの変換（エンコード）を行う。この場合は、第１ビット数は８［ｂｉｔ］のデータであり、第２ビット数は１０［ｂｉｔ］のデータである。
【００１３】
ただし、変換部１１１が行う変換は８Ｂ１０Ｂに限らず、たとえば、４Ｂ６Ｂや６４Ｂ６６Ｂなど、同一の値が一定以上連続しないようにするためのより多いビット数の符号への変換であればよい。以下、変換部１１１が８Ｂ１０Ｂの変換を行う場合について説明する。変換部１１１は、たとえば８［ｂｉｔ］のデータの各値と、１０［ｂｉｔ］のデータの各値と、の対応情報（テーブル）を用いて８Ｂ１０Ｂの変換を行う。変換部１１１は、変換した１０［ｂｉｔ］のデータを送信部１１２へ出力する。
【００１４】
送信部１１２は、変換部１１１から出力された各データを受信装置１２０へ送信する。送信部１１２から受信装置１２０へデータを送信する伝送路は、たとえば電気的な伝送路である。これにより、受信装置１２０へ送信すべき８［ｂｉｔ］のデータを１０［ｂｉｔ］のデータに変換して受信装置１２０へ送信することができる。
【００１５】
また、送信部１１２は、通信装置１００における無線信号１０２の受信状態に応じて、第１動作と第２動作とを切り替える。送信部１１２は、第１動作においては、変換部１１１から出力された各データの受信装置１２０への送信の際に、各データの間にダミーデータを挿入して送信する。また、送信部１１２は、第２動作においては、変換部１１１から出力された各データの受信装置１２０への送信の際に、各データの間にダミーデータを挿入しない。
【００１６】
たとえば、送信部１１２は、第１動作において、変換部１１１から出力された各データのうちの、連結した場合に値が交互に変化する連続パターンが生じる連続する各データの間にダミーデータを挿入する。これにより、送信部１１２から送信される信号における連続パターンを減らし、高調波を抑えることができる。値が交互に変化する連続パターンは、値が交互に変化するパターンであり、たとえば「１０１０」や「１１００１１００」などのパターンである。
【００１７】
ダミーデータは、たとえば、自身が連続パターンを含まず、かつ変換部１１１によって変換され得る１０［ｂｉｔ］のデータの各値と連結した場合に連続パターンが生じないデータである。これにより、各データの間にダミーデータを挿入することによって連続パターンが生じて高調波が発生することを抑えることができる。
【００１８】
また、ダミーデータは、たとえば、変換部１１１によって変換され得る１０［ｂｉｔ］のデータの各値と異なるデータである。たとえば、ダミーデータは、変換部１１１において用いられる対応情報に含まれる、１０［ｂｉｔ］の各値とは異なるデータである。８［ｂｉｔ］のデータの各値と１０［ｂｉｔ］のデータの各値との対応情報は受信装置１２０も有するため、これにより、受信装置１２０においてダミーデータを容易に識別することができる。
【００１９】
また、ダミーデータは、たとえば１０［ｂｉｔ］のデータである。これにより、ダミーデータの挿入による受信装置１２０におけるビットずれを回避することができる。ダミーデータのパターンは、一例としては、「１１１１１０００００」、「０００００１１１１１」、「１１１１ｘｘ００００」、「００００ｘｘ１１１１」などにすることができる。ダミーデータは、たとえば送信装置１１０のメモリにあらかじめ記憶されている。
【００２０】
＜受信装置＞
受信装置１２０は、受信部１２１と、変換部１２２と、を備える。受信部１２１は、送信装置１１０から送信された１０［ｂｉｔ］のデータを受信する。そして、受信部１２１は、受信した１０［ｂｉｔ］のデータを変換部１２２へ出力する。
【００２１】
変換部１２２は、受信部１２１から出力された１０［ｂｉｔ］のデータを８［ｂｉｔ］のデータに変換する。たとえば、変換部１２２は、たとえば８［ｂｉｔ］のデータの各値と、１０［ｂｉｔ］のデータの各値と、の対応情報（テーブル）を用いて８Ｂ１０Ｂの変換（デコード）を行う。変換部１２２が用いる対応情報は、変換部１１１が用いる対応情報に対応する。変換部１２２は、変換した８［ｂｉｔ］のデータを出力する。
【００２２】
＜受信状態が受信強度である場合＞
送信部１１２が第１動作と第２動作との切り替えに用いる、通信装置１００における無線信号１０２の受信状態は、たとえば通信装置１００における無線信号１０２の受信強度である。この場合は、送信部１１２は、たとえば、受信強度が所定強度未満である場合は第１動作を実行し、受信強度が所定強度以上である場合は第２動作を実行する。
【００２３】
これにより、たとえば通信先の通信装置から離れていることによって無線信号１０２の受信強度が低い場合は、各データの間にダミーデータを挿入して受信装置１２０へ送信する第１動作を実行し、連続パターンを減らすことができる。このため、通信装置１００の内部において発生する高調波を低減し、通信装置１００による無線信号１０２の受信品質を向上させることができる。
【００２４】
また、たとえば通信先の通信装置に近いことによって無線信号１０２の受信強度が高い場合は、各データの間にダミーデータを挿入しない第２動作を実行し、ダミーデータの挿入による伝送効率の低下を抑えることができる。また、この場合は、無線信号１０２の受信強度が高いため、ダミーデータを挿入しなくても、通信装置１００の内部において発生する高調波による無線信号１０２の受信品質の低下を抑えることができる。
【００２５】
＜受信状態が受信帯域である場合＞
送信部１１２が第１動作と第２動作との切り替えに用いる、通信装置１００における無線信号１０２の受信状態は、たとえば通信装置１００における無線信号１０２の受信帯域である。この場合は、送信部１１２は、たとえば、受信帯域が特定帯域である場合は第１動作を実行し、受信帯域が特定帯域でない場合は第２動作を実行する。特定帯域は、送信部１１２が第２動作を実行することによって発生する高調波の帯域と少なくとも一部が重複する帯域である。特定帯域は、たとえば通信装置１００のメモリに記憶されている。
【００２６】
これにより、第２動作を実行することによって発生する高調波が無線信号１０２の受信帯域と干渉する場合は、各データの間にダミーデータを挿入して受信装置１２０へ送信する第１動作を実行し、連続パターンを減らすことができる。このため、通信装置１００の内部において発生する高調波を低減し、通信装置１００による無線信号１０２の受信品質を向上させることができる。
【００２７】
また、第２動作を実行することによって発生する高調波が無線信号１０２の受信帯域と干渉しない場合は、各データの間にダミーデータを挿入しない第２動作を実行し、ダミーデータの挿入による伝送効率の低下を抑えることができる。また、この場合は、第２動作を実行することによって発生する高調波が無線信号１０２の受信帯域と干渉しないため、ダミーデータを挿入しなくても、通信装置１００の内部において発生する高調波による無線信号１０２の受信品質の低下を抑えることができる。
【００２８】
＜受信状態が受信の有無である場合＞
送信部１１２が第１動作と第２動作との切り替えに用いる、通信装置１００における無線信号１０２の受信状態は、たとえば通信装置１００における無線信号１０２の受信の有無である。この場合は、送信部１１２は、たとえば、通信装置１００が無線信号１０２を受信中である場合は第１動作を実行し、通信装置１００が無線信号１０２を受信中でない場合は第２動作を実行する。
【００２９】
これにより、通信装置１００が無線信号１０２を受信中である場合は、各データの間にダミーデータを挿入して受信装置１２０へ送信する第１動作を実行し、連続パターンを減らすことができる。このため、通信装置１００の内部において発生する高調波を低減し、通信装置１００による無線信号１０２の受信品質を向上させることができる。
【００３０】
また、通信装置１００が無線信号１０２を受信中でない場合は、各データの間にダミーデータを挿入しない第２動作を実行し、ダミーデータの挿入による伝送効率の低下を抑えることができる。また、この場合は、通信装置１００が無線信号１０２を受信中でないため、ダミーデータを挿入しなくても、通信装置１００の内部において発生する高調波による無線信号１０２の受信品質の低下を抑えることができる。
【００３１】
たとえば通信装置１００が無線信号１０２の受信と無線信号の送信とを時分割で行う構成においては、送信部１１２は、通信装置１００が無線信号を送信中である場合は第２動作を実行し、通信装置１００が無線信号を送信中でない場合は第１動作を実行する。これにより、通信装置１００が無線信号１０２を受信中である場合は第１動作を実行し、通信装置１００が無線信号１０２を受信中でない場合は第２動作を実行することができる。
【００３２】
このように、送信装置１１０によれば、通信装置１００の内部の８Ｂ１０Ｂ伝送において、１０［ｂｉｔ］のデータ間にダミーデータを挿入する制御を行うことができる。これにより、送信装置１１０から送信される信号における連続パターンを減らし、高調波の発生を抑えることができる。このため、通信装置１００における無線信号１０２の受信品質の向上を図ることができる。
【００３３】
また、送信装置１１０によれば、１０［ｂｉｔ］のデータ間にダミーデータを挿入して高調波を抑える制御を、受信電力が低い場合等の高調波による影響が大きい場合に限定して行うことができる。これにより、ダミーデータの挿入を減らし、送信装置１１０と受信装置１２０との間の伝送効率の低下を抑えることができる。
【００３４】
通信装置１００は、たとえば移動通信端末に適用することができる。この場合は、サイズ的な制約により、アンテナ１０１と、送信装置１１０および受信装置１２０の間の伝送路と、が近くなる。このため、送信装置１１０から送信される信号により発生する高調波が無線信号１０２の受信特性に与える影響が大きくなる。これに対して、通信装置１００によれば、高調波の発生を抑え、通信装置１００における無線信号１０２の受信品質の向上を図ることができる。
【００３５】
（実施の形態２）
（実施の形態２にかかる移動通信端末）
図２Ａは、実施の形態２にかかる移動通信端末の一例を示す図である。図２Ｂは、図２Ａに示した移動通信端末における信号の流れの一例を示す図である。図１Ａ，図１Ｂに示した通信装置１００は、たとえば図２Ａ，図２Ｂに示す移動通信端末２００に適用することができる。移動通信端末２００は、アンテナ２０１と、デュプレクサ２０２と、ＲＦ−ＬＳＩ２１０と、ベースバンドＬＳＩ２２０と、アプリケーションＬＳＩ２３０と、メモリ２４０と、周辺機器２５０と、を備える。
【００３６】
アンテナ２０１は、他の通信装置から無線送信された信号を受信し、受信した信号をデュプレクサ２０２へ出力する。また、アンテナ２０１は、デュプレクサ２０２から出力された信号を無線送信する。デュプレクサ２０２は、アンテナ２０１から出力された信号をＲＦ−ＬＳＩ２１０へ出力する。また、デュプレクサ２０２は、ＲＦ−ＬＳＩ２１０から出力された信号をアンテナ２０１へ出力する。
【００３７】
ＲＦ−ＬＳＩ２１０（Ｒａｄｉｏ  Ｆｒｅｑｕｅｎｃｙ−Ｌａｒｇｅ  Ｓｃａｌｅ  Ｉｎｔｅｇｒａｔｉｏｎ：高周波大規模集積回路）は、アンテナ２０１によって受信された信号をベースバンドのデジタル信号に変換する集積回路である。また、ＲＦ−ＬＳＩ２１０は、ベースバンドＬＳＩ２２０から出力されたベースバンドのデジタル信号を、アンテナ２０１から送信するためのＲＦ（Ｒａｄｉｏ  Ｆｒｅｑｕｅｎｃｙ：高周波）帯のアナログ信号に変換する。
【００３８】
たとえば、ＲＦ−ＬＳＩ２１０は、受信部２１１と、８Ｂ１０Ｂエンコーダ２１２と、８Ｂ１０Ｂデコーダ２１３と、送信部２１４と、を備える。受信部２１１は、デュプレクサ２０２から出力された信号の受信処理を行う。受信部２１１による受信処理には、たとえば、ＲＦ帯からベースバンド帯への周波数変換や、アナログ信号からデジタル信号への変換等が含まれる。受信部２１１は、受信処理によって得られたデータを８Ｂ１０Ｂエンコーダ２１２へ出力する。受信部２１１から８Ｂ１０Ｂエンコーダ２１２へ出力されるデータは８［ｂｉｔ］単位のデジタルデータである。
【００３９】
８Ｂ１０Ｂエンコーダ２１２は、受信部２１１から出力された８［ｂｉｔ］データを１０［ｂｉｔ］データに変換する。たとえば、８Ｂ１０Ｂエンコーダ２１２は、８［ｂｉｔ］データと１０［ｂｉｔ］データとの対応テーブルを用いて８［ｂｉｔ］データを１０［ｂｉｔ］データに変換する。８Ｂ１０Ｂエンコーダ２１２は、変換した１０［ｂｉｔ］データを、伝送路を介してベースバンドＬＳＩ２２０へ送信する。
【００４０】
８Ｂ１０Ｂデコーダ２１３は、ベースバンドＬＳＩ２２０から伝送路を介して送信された１０［ｂｉｔ］データを８［ｂｉｔ］データに変換する。たとえば、８Ｂ１０Ｂデコーダ２１３は、８［ｂｉｔ］データと１０［ｂｉｔ］データとの対応テーブルを用いて１０［ｂｉｔ］データを８［ｂｉｔ］データに変換する。８Ｂ１０Ｂデコーダ２１３は、変換した８［ｂｉｔ］データを送信部２１４へ出力する。
【００４１】
送信部２１４は、８Ｂ１０Ｂデコーダ２１３から８［ｂｉｔ］データの送信処理を行う。送信部２１４による送信処理には、たとえば、デジタル信号からアナログ信号への変換、ベースバンド帯からＲＦ帯への周波数変換等が含まれる。送信部２１４は、送信処理により得られた信号をデュプレクサ２０２へ出力する。
【００４２】
ベースバンドＬＳＩ２２０は、ＲＦ−ＬＳＩ２１０によって変換されたデジタル信号に基づく処理を行う集積回路である。また、ベースバンドＬＳＩ２２０は、アンテナ２０１によって送信すべきデータをＲＦ−ＬＳＩ２１０へ送信する。
【００４３】
たとえば、ベースバンドＬＳＩ２２０は、８Ｂ１０Ｂデコーダ２２１と、８Ｂ１０Ｂエンコーダ２２２と、を備える。８Ｂ１０Ｂデコーダ２２１は、ＲＦ−ＬＳＩ２１０から伝送路を介して送信された１０［ｂｉｔ］データを８［ｂｉｔ］データに変換する。たとえば、８Ｂ１０Ｂデコーダ２２１は、８［ｂｉｔ］データと１０［ｂｉｔ］データとの対応テーブルを用いて１０［ｂｉｔ］データを８［ｂｉｔ］データに変換する。８Ｂ１０Ｂデコーダ２２１は、変換した８［ｂｉｔ］データを出力する。これにより、ベースバンドＬＳＩ２２０において、移動通信端末２００の受信信号の解読が行われる。
【００４４】
８Ｂ１０Ｂエンコーダ２２２は、入力された８［ｂｉｔ］データを１０［ｂｉｔ］データに変換する。たとえば、８Ｂ１０Ｂエンコーダ２２２は、８［ｂｉｔ］データと１０［ｂｉｔ］データとの対応テーブルを用いて８［ｂｉｔ］データを１０［ｂｉｔ］データに変換する。８Ｂ１０Ｂエンコーダ２２２は、変換した１０［ｂｉｔ］データを、伝送路を介してＲＦ−ＬＳＩ２１０へ送信する。
【００４５】
このように、移動通信端末２００においては、ＲＦ−ＬＳＩ２１０とベースバンドＬＳＩ２２０との間の伝送において８Ｂ１０Ｂエンコードが用いられる。
【００４６】
アプリケーションＬＳＩ２３０は、移動通信端末２００において各種の機能を実現するアプリケーションを実行するプロセッサである。メモリ２４０は、ベースバンドＬＳＩ２２０およびアプリケーションＬＳＩ２３０からアクセス可能なメモリである。メモリ２４０には、たとえば、ＮＡＮＤ型やＮＯＲ型のフラッシュメモリを用いることができる。
【００４７】
周辺機器２５０は、ＬＣＤ（Ｌｉｑｕｉｄ  Ｃｒｙｓｔａｌ  Ｄｉｓｐｌａｙ：液晶ディスプレイ）、オーディオ（スピーカやマイク等）、キーパッド、カメラ等の周辺機器である。周辺機器２５０は、たとえばアプリケーションＬＳＩ２３０によって制御される。
【００４８】
図１Ａ，図１Ｂに示した送信装置１１０は、たとえば８Ｂ１０Ｂエンコーダ２１２に適用することができる。この場合は、図１Ａ，図１Ｂに示した受信装置１２０は、たとえば８Ｂ１０Ｂデコーダ２２１に適用することができる。また、図１Ａ，図１Ｂに示した送信装置１１０は、たとえば８Ｂ１０Ｂエンコーダ２２２に適用することができる。この場合は、図１Ａ，図１Ｂに示した受信装置１２０は、たとえば８Ｂ１０Ｂデコーダ２１３に適用することができる。以下、送信装置１１０を８Ｂ１０Ｂエンコーダ２１２に適用し、受信装置１２０を８Ｂ１０Ｂデコーダ２２１に適用する場合について説明する。
【００４９】
（実施の形態２にかかる８Ｂ１０Ｂエンコーダの処理）
図３は、実施の形態２にかかる８Ｂ１０Ｂエンコーダの処理の一例を示すフローチャートである。図３においては８Ｂ１０Ｂエンコーダ２１２の処理について説明するが、８Ｂ１０Ｂエンコーダ２２２の処理についても同様である。８Ｂ１０Ｂエンコーダ２１２は、８［ｂｉｔ］データが入力されるたびに、たとえば図３に示す各ステップを実行する。
【００５０】
まず、８Ｂ１０Ｂエンコーダ２１２は、入力された８［ｂｉｔ］データを１０［ｂｉｔ］データに変換する（ステップＳ３０１）。つぎに、８Ｂ１０Ｂエンコーダ２１２は、移動通信端末２００における受信強度が所定強度未満であるか否かを判断する（ステップＳ３０２）。受信強度は、たとえばＲＦ−ＬＳＩ２１０において取得可能なＲＳＳＩ（Ｒｅｃｅｉｖｅｄ  Ｓｉｇｎａｌ  Ｓｔｒｅｎｇｔｈ  Ｉｎｄｉｃａｔｏｒ：受信信号強度）である。
【００５１】
ステップＳ３０２において、受信強度が所定強度未満である場合（ステップＳ３０２：Ｙｅｓ）は、８Ｂ１０Ｂエンコーダ２１２は、ステップＳ３０３へ移行する。すなわち、８Ｂ１０Ｂエンコーダ２１２は、ステップＳ３０１によって変換した１０［ｂｉｔ］データと、前回出力した１０［ｂｉｔ］データとの間に連続性があるか否かを判断する（ステップＳ３０３）。
【００５２】
前回出力した１０［ｂｉｔ］データは、たとえば前回の処理におけるステップＳ３０５によって送信され、ステップＳ３０６によって記憶された１０［ｂｉｔ］データである。なお、初回のステップＳ３０３においては前回出力した１０［ｂｉｔ］データがないため、ステップＳ３０３において８Ｂ１０Ｂエンコーダ２１２は連続性がないと判断する。連続性の判断方法については後述する（たとえば図５Ａ〜図６Ｂ参照）。
【００５３】
ステップＳ３０３において、連続性がある場合（ステップＳ３０３：Ｙｅｓ）は、８Ｂ１０Ｂエンコーダ２１２は、１０［ｂｉｔ］のダミーデータを伝送路から送信する（ステップＳ３０４）。つぎに、８Ｂ１０Ｂエンコーダ２１２は、ステップＳ３０１によって変換した１０［ｂｉｔ］データを伝送路から送信する（ステップＳ３０５）。
【００５４】
つぎに、８Ｂ１０Ｂエンコーダ２１２は、ステップＳ３０５によって送信した１０［ｂｉｔ］データをメモリに記憶し（ステップＳ３０６）、一連の処理を終了する。ステップＳ３０６における１０［ｂｉｔ］データの記憶先のメモリは、たとえば、ＲＦ−ＬＳＩ２１０（またはベースバンドＬＳＩ２２０）の内蔵メモリである。
【００５５】
ステップＳ３０２において、受信強度が所定強度以上である場合（ステップＳ３０２：Ｎｏ）は、８Ｂ１０Ｂエンコーダ２１２は、ダミーデータを送信せずに、ステップＳ３０５へ移行して１０［ｂｉｔ］データを伝送路から送信する。
【００５６】
ステップＳ３０３において、連続性がない場合（ステップＳ３０３：Ｎｏ）は、８Ｂ１０Ｂエンコーダ２１２は、ダミーデータを送信せずに、ステップＳ３０５へ移行して１０［ｂｉｔ］データを伝送路から送信する。
【００５７】
以上の各ステップにより、連続性がある１０［ｂｉｔ］データの間にダミーデータを挿入して送信することにより高調波を抑えるとともに、受信強度が高い場合はダミーデータを挿入しないことによって伝送効率の低下を抑えることができる。
【００５８】
（実施の形態２にかかる８Ｂ１０Ｂデコーダの処理）
図４は、実施の形態２にかかる８Ｂ１０Ｂデコーダの処理の一例を示すフローチャートである。図４においては８Ｂ１０Ｂデコーダ２２１の処理について説明するが、８Ｂ１０Ｂデコーダ２１３の処理についても同様である。８Ｂ１０Ｂデコーダ２２１は、１０［ｂｉｔ］データを受信するたびに、たとえば図４に示す各ステップを実行する。
【００５９】
まず、８Ｂ１０Ｂデコーダ２２１は、受信した１０［ｂｉｔ］データがダミーデータであるか否かを判断する（ステップＳ４０１）。受信した１０［ｂｉｔ］データがダミーデータであるか否かは、たとえば、８［ｂｉｔ］データと１０［ｂｉｔ］との対応テーブルに、受信した１０［ｂｉｔ］データが含まれるか否かによって判断することができる。または、受信した１０［ｂｉｔ］データを、ダミーデータのパターンとしてあらかじめ記憶しておいたパターンと比較することによって判断することもできる。
【００６０】
ステップＳ４０１において、ダミーデータである場合（ステップＳ４０１：Ｙｅｓ）は、８Ｂ１０Ｂデコーダ２２１は、受信した１０［ｂｉｔ］データ（ダミーデータ）を破棄し（ステップＳ４０２）、一連の処理を終了する。ダミーデータでない場合（ステップＳ４０１：Ｎｏ）は、８Ｂ１０Ｂデコーダ２２１は、受信した１０［ｂｉｔ］データを８［ｂｉｔ］データに変換する（ステップＳ４０３）。
【００６１】
つぎに、８Ｂ１０Ｂデコーダ２２１は、ステップＳ４０３によって変換された８［ｂｉｔ］データを出力し（ステップＳ４０４）、一連の処理を終了する。
【００６２】
以上の各ステップにより、送信装置１１０から送信されたデータにダミーデータが含まれていても、元の８［ｂｉｔ］データを抽出することができる。
【００６３】
（連続性の判断）
図５Ａは、連続性の判断の一例を示す図（その１）である。図５Ｂは、連続性の判断の一例を示す図（その２）である。図５Ａ，図５Ｂにおいて、データＮは、８Ｂ１０Ｂエンコーダ２１２へある時点で入力された８［ｂｉｔ］データである。データＮ−１は、データＮの直前に８Ｂ１０Ｂエンコーダ２１２へ入力された８［ｂｉｔ］データである。データＮ−１およびデータＮにおいて、「ｘ」は任意の値（「０」または「１」）を示す。
【００６４】
図５Ａに示す例では、データＮ−１の下位４［ｂｉｔ］は「１０１０」となっている。また、データＮの上位４［ｂｉｔ］は「１０１０」となっている。このため、データＮ−１の直後にデータＮを伝送すると、データＮ−１およびデータＮの境界部分で「１０１０１０１０」のような１［ｂｉｔ］ごとに値が変化する連続パターンが発生する。
【００６５】
図５Ｂに示す例では、データＮ−１の下位４［ｂｉｔ］は「１１００」となっている。また、データＮの上位４［ｂｉｔ］は「１１００」となっている。このため、データＮ−１の直後にデータＮを伝送すると、データＮ−１およびデータＮの境界部分で「１１００１１００」のような２［ｂｉｔ］ごとに値が変化する連続パターンが発生する。
【００６６】
たとえば、８Ｂ１０Ｂエンコーダ２１２は、データＮ−１の下位４［ｂｉｔ］およびデータＮの上位４［ｂｉｔ］をモニタする。そして、８Ｂ１０Ｂエンコーダ２１２は、データＮ−１の下位４［ｂｉｔ］の後にデータＮの上位４［ｂｉｔ］を連結した符号列に所定の連続パターンがある場合は、データＮ−１およびデータＮの間に連続性があると判断する。この場合は、８Ｂ１０Ｂエンコーダ２１２は、データＮ−１およびデータＮの間にダミーデータを挿入する。
【００６７】
つぎに、データＮ−１の下位４［ｂｉｔ］の後にデータＮの上位４［ｂｉｔ］を連結した符号列に連続パターンがあるか否かを判断する方法について説明する。
【００６８】
図６Ａは、連続する２つの１０［ｂｉｔ］データの一例を示す図である。図６Ａに示すように、データＮ−１の１０［ｂｉｔ］の符号列を「ａ９  ａ８  ａ７  ａ６  ａ５  ａ４  ａ３  ａ２  ａ１  ａ０」とする。データＮ−１においては、「ａ９」がＭＳＢ（Ｍｏｓｔ  Ｓｉｇｎｉｆｉｃａｎｔ  Ｂｉｔ：最上位ビット）であり、「ａ０」がＬＳＢ（Ｌｅａｓｔ  Ｓｉｇｎｉｆｉｃａｎｔ  Ｂｉｔ：最下位ビット）である。
【００６９】
また、データＮの１０［ｂｉｔ］の符号列を「ｂ９  ｂ８  ｂ７  ｂ６  ｂ５  ｂ４  ｂ３  ｂ２  ｂ１  ｂ０」とする。データＮにおいては、「ｂ９」がＭＳＢであり、「ｂ０」がＬＳＢである。
【００７０】
図６Ｂは、連続性を判断する構成の一例を示す図である。図６Ｂに示す判定回路６００は、８Ｂ１０Ｂエンコーダ２１２において連続性を判断する処理を擬似的に示す回路である。すなわち、８Ｂ１０Ｂエンコーダ２１２は、図６Ｂに示す判定回路６００と同様の処理を実行することによって連続性を判断することができる。ここでは、一例として、「１０１０１０１０」のような１［ｂｉｔ］ごとに値が変化する連続パターンの有無を判断する場合について説明する。
【００７１】
判定回路６００は、処理部６１０，６２０と、論理和算出部６３０と、を有する。処理部６１０は、排他的論理和算出部６１１〜６１４を有する。排他的論理和算出部６１１〜６１４には、それぞれデータＮ−１の下位４［ｂｉｔ］の「ａ３」、「ａ２」、「ａ１」および「ａ０」が入力される。排他的論理和算出部６１１，６１３は、入力された値と、ＶＤＤ（論理“１”）と、の排他的論理和を算出する。排他的論理和算出部６１２，６１４は、入力された値と、ＧＮＤ（論理“０”）と、の排他的論理和を算出する。
【００７２】
処理部６２０は、排他的論理和算出部６２１〜６２４を有する。排他的論理和算出部６２１〜６２４には、それぞれデータＮの上位４［ｂｉｔ］の「ｂ９」、「ｂ８」、「ｂ７」および「ｂ６」が入力される。排他的論理和算出部６２１，６２３は、入力された値と、ＶＤＤ（論理“１”）と、の排他的論理和を算出する。排他的論理和算出部６２２，６２４は、入力された値と、ＧＮＤ（論理“０”）と、の排他的論理和を算出する。
【００７３】
論理和算出部６３０は、排他的論理和算出部６１１〜６１４，６２１〜６２４によって算出された各排他的論理和の論理和を算出する。たとえば、論理和算出部６３０によって算出された論理和が「０」の場合は、データＮ−１の下位４［ｂｉｔ］の後にデータＮの上位４［ｂｉｔ］を結合した符号列が「１０１０１０１０」という連続パターンとなると判断することができる。
【００７４】
また、論理和算出部６３０によって算出された論理和が「１」の場合は、データＮ−１の下位４［ｂｉｔ］の後にデータＮの上位４［ｂｉｔ］を結合した符号列が「１０１０１０１０」という連続パターンとならないと判断することができる。なお、ここではデータＮ−１の下位４［ｂｉｔ］の後にデータＮの上位４［ｂｉｔ］を結合した符号列と「１０１０１０１０」とを比較する場合について説明したが、比較対象は「１０１０１０１０」に限らない。
【００７５】
たとえば、８Ｂ１０Ｂエンコーダ２１２は、データＮ−１の下位４［ｂｉｔ］の後にデータＮの上位４［ｂｉｔ］を結合した符号列を、複数の連続パターンと比較する。複数の連続パターンの一例としては、「１０１０１０」、「０１０１０１」、「００１１００１１」および「１１００１１００」などを用いることができる。
【００７６】
８Ｂ１０Ｂエンコーダ２１２は、データＮ−１の下位４［ｂｉｔ］の後にデータＮの上位４［ｂｉｔ］を結合した符号列が、複数の連続パターンのいずれかと一致した場合は、データＮ−１，Ｎの間に連続性があると判断することができる。また、８Ｂ１０Ｂエンコーダ２１２は、データＮ−１の下位４［ｂｉｔ］の後にデータＮの上位４［ｂｉｔ］を結合した符号列が、複数の連続パターンのいずれとも一致しなかった場合は、データＮ−１，Ｎの間に連続性がないと判断することができる。
【００７７】
このように、８Ｂ１０Ｂエンコーダ２１２は、連続する１０［ｂｉｔ］データのうちの先のデータの下位ビットと、連続する１０［ｂｉｔ］データのうちの後のデータの上位ビットと、を連結したビット列が所定の連続パターンと一致するか否かを判断する。そして、８Ｂ１０Ｂエンコーダ２１２は、連結したビット列が所定の連続パターンと一致する場合に、連続する１０［ｂｉｔ］データに連続性があると判断し、連続する１０［ｂｉｔ］データの間にダミーデータを挿入する。
【００７８】
（ユーザの分布）
図７は、ユーザの分布の一例を示すグラフである。図７において、横軸は移動通信端末（ユーザ）の基地局からの距離を示し、縦軸は移動通信端末の数（ユーザ数）を示している。基地局からの距離に対するユーザの分布は、たとえば図７に示す正規分布７００のように近似することができる。移動通信端末における受信強度は、基地局からの距離が大きくなるほど小さくなる。したがって、受信強度に対するユーザの分布も正規分布７００のように近似することができる。
【００７９】
たとえば上述した所定強度が＋σに相当する場合は、約８４［％］のユーザは受信強度が所定強度以上であり、８Ｂ１０Ｂ変換を使用したデータ伝送による連続パターンによる高調波による影響が小さい。このため、ダミーデータを挿入しなくても、受信特性の低下を抑えることができる。一方、約１６［％］のユーザは受信強度が所定強度未満であり、８Ｂ１０Ｂ変換を使用したデータ伝送による連続パターンによる高調波による影響が大きい。このため、ダミーデータを挿入することによって高調波を抑える制御が行われる。
【００８０】
このように、実施の形態２にかかる移動通信端末２００によれば、移動通信端末２００の内部の８Ｂ１０Ｂ伝送において、１０［ｂｉｔ］のデータ間にダミーデータを挿入する制御を行うことができる。これにより、移動通信端末２００の内部で伝送される信号における連続パターンを減らし、高調波の発生を抑えることができる。このため、移動通信端末２００における無線信号の受信品質の向上を図ることができる。
【００８１】
また、１０［ｂｉｔ］のデータ間にダミーデータを挿入して高調波を抑える制御を、受信電力が低く高調波による影響が大きい場合に限定して行うことができる。これにより、ダミーデータの挿入を減らし、ＲＦ−ＬＳＩ２１０とベースバンドＬＳＩ２２０との間の伝送効率の低下を抑えることができる。
【００８２】
（実施の形態３）
実施の形態３にかかる移動通信端末２００について、実施の形態２にかかる移動通信端末２００と異なる部分について説明する。
【００８３】
（実施の形態３にかかる８Ｂ１０Ｂエンコーダの処理）
図８は、実施の形態３にかかる８Ｂ１０Ｂエンコーダの処理の一例を示すフローチャートである。図８においては８Ｂ１０Ｂエンコーダ２１２の処理について説明するが、８Ｂ１０Ｂエンコーダ２２２の処理についても同様である。８Ｂ１０Ｂエンコーダ２１２は、８［ｂｉｔ］データが入力されるたびに、たとえば図８に示す各ステップを実行する。
【００８４】
まず、８Ｂ１０Ｂエンコーダ２１２は、入力された８［ｂｉｔ］データを１０［ｂｉｔ］データに変換する（ステップＳ８０１）。つぎに、８Ｂ１０Ｂエンコーダ２１２は、移動通信端末２００における受信バンドが、高調波によるノイズの影響を受けるバンドであるか否かを判断する（ステップＳ８０２）。高調波によるノイズの影響を受けるバンドは、たとえばＲＦ−ＬＳＩ２１０の内蔵メモリにあらかじめ記憶されている。
【００８５】
ステップＳ８０２において、受信バンドが高調波によるノイズの影響を受けるバンドである場合（ステップＳ８０２：Ｙｅｓ）は、８Ｂ１０Ｂエンコーダ２１２は、ステップＳ８０３へ移行する。受信バンドが高調波によるノイズの影響を受けるバンドでない場合（ステップＳ８０２：Ｎｏ）は、８Ｂ１０Ｂエンコーダ２１２は、ステップＳ８０５へ移行する。図８に示すステップＳ８０３〜Ｓ８０６は、図３に示したステップＳ３０３〜Ｓ３０６と同様である。
【００８６】
以上の各ステップにより、連続性がある１０［ｂｉｔ］データの間にダミーデータを挿入して送信することにより高調波を抑えることができる。また、受信バンドが高調波によるノイズの影響を受ける帯域でない場合はダミーデータを挿入しないことによって伝送効率の低下を抑えることができる。
【００８７】
（高調波によるノイズの影響を受けるバンド）
図９Ａは、連続パターンによる高調波の一例を示す図である。たとえば、ＲＦ−ＬＳＩ２１０からベースバンドＬＳＩ２２０への伝送速度が１．２４［Ｇｂｐｓ］であるとする。この場合は、図９Ａのテーブル９１０に示すように、「１０１０」の連続パターンは６２０［ＭＨｚ］のクロックと同じになり、その３倍波は１８６０［ＭＨｚ］となる。また、「１１００１１００」の連続パターンは３１０［ＭＨｚ］のクロックと同じになり、その３倍波は９３０［ＭＨｚ］となる。
【００８８】
図９Ｂは、連続パターンによる高調波のバンドごとの影響の一例を示す図である。図９Ｂのテーブル９２０は、各受信バンド（Ｂａｎｄ１〜２１）の受信周波数［ＭＨｚ］ごとに、各連続パターンによる影響の有無を示している。
【００８９】
たとえば、「１０１０」の連続パターンによって１８６０［ＭＨｚ］の高調波が発生すると、Ｂａｎｄ９（１８４４．９−１８７９．９［ＭＨｚ］）やＢａｎｄ３（１８０５−１８８０［ＭＨｚ］）への影響がある。また、「１１００１１００」の連続パターンによって９３０［ＭＨｚ］の高調波が発生すると、Ｂａｎｄ８（９２５−９６０［ＭＨｚ］）への影響がある。このため、図８のステップＳ８０２における高調波によるノイズの影響を受けるバンドは、Ｂａｎｄ３、Ｂａｎｄ８およびＢａｎｄ９とすることができる。
【００９０】
このように、実施の形態３にかかる移動通信端末２００によれば、移動通信端末２００の内部の８Ｂ１０Ｂ伝送において、１０［ｂｉｔ］のデータ間にダミーデータを挿入する制御を行うことができる。これにより、移動通信端末２００の内部で伝送される信号における連続パターンを減らし、高調波の発生を抑えることができる。このため、移動通信端末２００における無線信号の受信品質の向上を図ることができる。
【００９１】
また、１０［ｂｉｔ］のデータ間にダミーデータを挿入して高調波を抑える制御を、移動通信端末２００の受信バンドが高調波によるノイズの影響を受けるバンドである場合に限定して行うことができる。これにより、ダミーデータの挿入を減らし、ＲＦ−ＬＳＩ２１０とベースバンドＬＳＩ２２０との間の伝送効率の低下を抑えることができる。
【００９２】
（実施の形態４）
実施の形態４にかかる移動通信端末２００について、実施の形態３にかかる移動通信端末２００と異なる部分について説明する。実施の形態４にかかる移動通信端末２００は、他の通信装置との間における無線信号の送信と受信を時分割で行うＴＤＤ（Ｔｉｍｅ  Ｄｉｖｉｓｉｏｎ  Ｄｕｐｌｅｘ：時分割複信）方式を用いる。
【００９３】
（実施の形態４にかかる８Ｂ１０Ｂエンコーダの処理）
図１０は、実施の形態４にかかる８Ｂ１０Ｂエンコーダの処理の一例を示すフローチャートである。図１０において８Ｂ１０Ｂエンコーダ２１２の処理について説明するが、８Ｂ１０Ｂエンコーダ２２２の処理も同様である。８Ｂ１０Ｂエンコーダ２１２は、８［ｂｉｔ］データが入力されるたびに、たとえば図１０に示す各ステップを実行する。
【００９４】
まず、８Ｂ１０Ｂエンコーダ２１２は、入力された８［ｂｉｔ］データを１０［ｂｉｔ］データに変換する（ステップＳ１００１）。つぎに、８Ｂ１０Ｂエンコーダ２１２は、移動通信端末２００が他の通信装置へ無線信号を送信する送信期間であるか否かを判断する（ステップＳ１００２）。送信期間であるかは、たとえば、ＲＦ−ＬＳＩ２１０に対する信号の送信指示を取得することによって判断することができる。
【００９５】
ステップＳ１００２において、送信期間である場合（ステップＳ１００２：Ｙｅｓ）は、８Ｂ１０Ｂエンコーダ２１２は、移動通信端末２００が無線信号を受信中でないと判断することができる。この場合は、８Ｂ１０Ｂエンコーダ２１２は、ステップＳ１００３へ移行する。送信期間でない場合（ステップＳ１００２：Ｎｏ）は、８Ｂ１０Ｂエンコーダ２１２は、ステップＳ１００５へ移行する。図１０に示すステップＳ１００３〜Ｓ１００６は、図３に示したステップＳ３０３〜Ｓ３０６と同様である。
【００９６】
以上の各ステップにより、連続性がある１０［ｂｉｔ］データの間にダミーデータを挿入して送信することにより高調波を抑えることができる。また、移動通信端末２００が無線信号を受信中でない場合はダミーデータを挿入しないことによって伝送効率の低下を抑えることができる。
【００９７】
このように、実施の形態４にかかる移動通信端末２００によれば、移動通信端末２００の内部の８Ｂ１０Ｂ伝送において、１０［ｂｉｔ］のデータ間にダミーデータを挿入する制御を行うことができる。これにより、移動通信端末２００の内部で伝送される信号における連続パターンを減らし、高調波の発生を抑えることができる。このため、移動通信端末２００における無線信号の受信品質の向上を図ることができる。
【００９８】
また、１０［ｂｉｔ］のデータ間にダミーデータを挿入して高調波を抑える制御を、移動通信端末２００が無線信号を受信中である場合に限定して行うことができる。これにより、ダミーデータの挿入を減らし、ＲＦ−ＬＳＩ２１０とベースバンドＬＳＩ２２０との間の伝送効率の低下を抑えることができる。
【００９９】
以上説明したように、送信装置、通信装置および送信方法によれば、通信品質の向上を図ることができる。
【０１００】
たとえば、８Ｂ１０Ｂ変換においては、８［ｂｉｔ］のデータ［００００００００］は、１０［ｂｉｔ］のデータの［１００１１１０１００］および［０１１０００１０１１］のいずれかに変換される。また、８［ｂｉｔ］のデータ［１１１１１１１１］は、１０［ｂｉｔ］のデータの［１０１０１１０００１］および［０１０１００１１１０］のいずれかに変換される。いずれに変換されるかは、前のデータに依存する。
【０１０１】
たとえば、１６進数の「４Ａ」、「０Ａ」、「７８」のデータ列を８［ｂｉｔ］に置き換えて伝送する場合は、「０１００１０１０００００１０１００１１１１０００」のようなデータ列（ａ）が生成される。データ列（ａ）を８Ｂ１０Ｂ変換すると、「０１０１０１０１０１０１０１０１０１００１１００１１００１１」のようなデータ列（ｂ）が生成される。このように、８Ｂ１０Ｂ変換後の１０［ｂｉｔ］データは、「１」と「０」の変化点が多く、隣り合ったデータと連続パターンができやすくなっている。
【０１０２】
これに対して、通信装置１００や移動通信端末２００によれば、内部の８Ｂ１０Ｂ伝送において、連続パターンが生じる１０［ｂｉｔ］のデータ間にダミーデータを挿入することにより、内部で伝送される信号における連続パターンを減らすことができる。これにより、高調波の発生を抑え、受信品質の向上を図ることができる。
【０１０３】
ただし、連続パターンの発生確率が高い８Ｂ１０Ｂ変換では、ダミーデータが多く挿入されることによりデータの伝送効率が低下する場合がある。たとえば、ひとつのパケットとして１０［ｂｉｔ］のデータを３０個まとめて伝送する場合に、３００［ｂｉｔ］のデータを送ることになる。このため、１０［ｂｉｔ］のダミーデータがひとつ挿入されると、３００［ｂｉｔ］が３１０［ｂｉｔ］になり、伝送効率は９７％に落ちる。また、１０［ｂｉｔ］のデータが１０個のパケットにダミーデータがひとつ挿入されると、１００［ｂｉｔ］が１１０［ｂｉｔ］になり、伝送効率は９０％に落ちる。
【０１０４】
これに対して、通信装置１００や移動通信端末２００によれば、１０［ｂｉｔ］のデータ間にダミーデータを挿入して高調波を抑える制御を、受信電力が低い場合等の高調波による影響が大きい場合に限定して行うことができる。これにより、ダミーデータの挿入を減らし、内部の伝送効率の低下を抑えることができる。
【０１０５】
上述した各実施の形態に関し、さらに以下の付記を開示する。
【０１０６】
（付記１）無線信号を受信する通信装置の内部に設けられ、前記通信装置の内部の受信装置へデータを送信する送信装置であって、
入力された第１ビット数のデータを、前記第１ビット数より多い第２ビット数のデータに変換する変換部と、
前記変換部によって変換された各データを前記受信装置へ送信する送信部であって、前記各データの間にダミーデータを挿入して送信する第１動作と、前記ダミーデータを挿入しない第２動作と、を前記通信装置における前記無線信号の受信状態に応じて切り替える送信部と、
を備えることを特徴とする送信装置。
【０１０７】
（付記２）前記送信部は、前記第１動作において、前記変換部によって変換された各データのうちの、連結した場合に値が交互に変化する連続パターンが生じる連続する各データの間に前記ダミーデータを挿入することを特徴とする付記１に記載の送信装置。
【０１０８】
（付記３）前記送信部は、前記変換部によって変換された連続する各データのそれぞれについて、前記連続する各データのうちの先のデータの下位ビットと、前記連続する各データのうちの後のデータの上位ビットと、を連結したビット列が所定の前記連続パターンと一致する場合に、前記連続する各データの間にダミーデータを挿入することを特徴とする付記２に記載の送信装置。
【０１０９】
（付記４）前記ダミーデータは、値が交互に変化する連続パターンを自身が含まず、かつ前記変換部によって変換され得る前記第２ビット数のデータの各値と連結した場合に前記連続パターンが生じないデータであることを特徴とする付記１〜３のいずれか一つに記載の送信装置。
【０１１０】
（付記５）前記ダミーデータは、前記変換部によって変換され得る前記第２ビット数のデータの各値とは異なるデータであることを特徴とする付記１〜４のいずれか一つに記載の送信装置。
【０１１１】
（付記６）前記ダミーデータは、前記第２ビット数のデータであることを特徴とする付記１〜５のいずれか一つに記載の送信装置。
【０１１２】
（付記７）前記変換部は、前記第１ビット数のデータの各値と、前記第２ビット数のデータの各値と、の対応情報に基づいて前記第１ビット数のデータを前記第２ビット数のデータに変換することを特徴とする付記１〜６のいずれか一つに記載の送信装置。
【０１１３】
（付記８）前記変換部は、８Ｂ１０Ｂの変換を行うことを特徴とする付記１〜７のいずれか一つに記載の送信装置。
【０１１４】
（付記９）前記無線信号の受信状態は、前記無線信号の受信強度であることを特徴とする付記１〜８のいずれか一つに記載の送信装置。
【０１１５】
（付記１０）前記送信部は、前記受信強度が所定強度未満である場合は前記第１動作を実行し、前記受信強度が前記所定強度以上である場合は前記第２動作を実行する、
ことを特徴とする付記９に記載の送信装置。
【０１１６】
（付記１１）前記無線信号の受信状態は、前記無線信号の受信帯域であることを特徴とする付記１〜１０のいずれか一つに記載の送信装置。
【０１１７】
（付記１２）前記送信部は、前記受信帯域が特定帯域である場合は前記第１動作を実行し、前記受信帯域が前記特定帯域でない場合は前記第２動作を実行する、
ことを特徴とする付記１１に記載の送信装置。
【０１１８】
（付記１３）前記特定帯域は、前記送信部が前記第２動作を行うことによって発生する高調波の帯域と少なくとも一部が重複する帯域であることを特徴とする付記１２に記載の送信装置。
【０１１９】
（付記１４）前記無線信号の受信状態は、前記無線信号の受信の有無であることを特徴とする付記１〜１３のいずれか一つに記載の送信装置。
【０１２０】
（付記１５）前記送信部は、前記通信装置が前記無線信号を受信中である場合は前記第１動作を実行し、前記通信装置が前記無線信号を受信中でない場合は前記第２動作を実行する、
ことを特徴とする付記１４に記載の送信装置。
【０１２１】
（付記１６）前記通信装置は、前記無線信号の受信と無線信号の送信とを時分割により行い、
前記送信部は、前記通信装置が無線信号を送信中である場合は前記第２動作を実行し、前記通信装置が無線信号を送信中でない場合は前記第１動作を実行する、
ことを特徴とする付記１５に記載の送信装置。
【０１２２】
（付記１７）前記通信装置は移動通信端末であることを特徴とする付記１〜１６のいずれか一つに記載の送信装置。
【０１２３】
（付記１８）前記通信装置のアンテナによって受信された信号をベースバンド帯のデジタル信号に変換する第１集積回路に設けられる送信装置であって、
前記受信装置は、前記第１集積回路によって変換されたデジタル信号に基づく処理を行う第２集積回路に設けられ、
前記データは、前記第１集積回路によって変換されたデジタル信号である、
ことを特徴とする付記１〜１７のいずれか一つに記載の送信装置。
【０１２４】
（付記１９）無線信号を受信する通信装置であって、
入力された第１ビット数のデータを、前記第１ビット数より多い第２ビット数のデータに変換し、変換した各データを送信し、前記各データの間にダミーデータを挿入して送信する第１動作と、前記ダミーデータを挿入しない第２動作と、を前記通信装置における前記無線信号の受信状態に応じて切り替える送信装置と、
前記送信装置によって送信された各データを受信し、受信した各データのうちの前記ダミーデータを破棄し、前記受信した各データのうちの前記ダミーデータとは異なるデータを前記第１ビット数のデータに変換して出力する受信装置と、
を内部に備えることを特徴とする通信装置。
【０１２５】
（付記２０）無線信号を受信する通信装置の内部に設けられ、前記通信装置の内部の受信装置へデータを送信する送信装置による送信方法であって、
入力された第１ビット数のデータを、前記第１ビット数より多い第２ビット数のデータに変換し、
変換した各データを前記受信装置へ送信し、前記各データの間にダミーデータを挿入して送信する第１動作と、前記ダミーデータを挿入せずに前記各データを送信する第２動作と、を前記通信装置における前記無線信号の受信状態に応じて切り替える、
ことを特徴とする送信方法。
【符号の説明】
【０１２６】
１００  通信装置
１０１，２０１  アンテナ
１０２  無線信号
１１０  送信装置
１１１，１２２  変換部
１１２，２１４  送信部
１２０  受信装置
１２１，２１１  受信部
２００  移動通信端末
２０２  デュプレクサ
２１０  ＲＦ−ＬＳＩ
２１２，２２２  ８Ｂ１０Ｂエンコーダ
２１３，２２１  ８Ｂ１０Ｂデコーダ
２２０  ベースバンドＬＳＩ
２３０  アプリケーションＬＳＩ
２４０  メモリ
２５０  周辺機器
６００  判定回路
６１０，６２０  処理部
６１１〜６１４，６２１〜６２４  排他的論理和算出部
６３０  論理和算出部
７００  正規分布
９１０，９２０  テーブル
【図１Ａ】
2014229945.tif 000003
【図１Ｂ】
2014229945.tif 000004
【図２Ａ】
2014229945.tif 000005
【図２Ｂ】
2014229945.tif 000006
【図３】
2014229945.tif 000007
【図４】
2014229945.tif 000008
【図５Ａ】
2014229945.tif 000009
【図５Ｂ】
2014229945.tif 000010
【図６Ａ】
2014229945.tif 000011
【図６Ｂ】
2014229945.tif 000012
【図７】
2014229945.tif 000013
【図８】
2014229945.tif 000014
【図９Ａ】
2014229945.tif 000015
【図９Ｂ】
2014229945.tif 000016
【図１０】
2014229945.tif 000017